(57)【要約】【課題】  着脱が容易で装着性が向上し、小型で脱落の可能性を低減させること。【解決手段】  本体２に設けられてバンド３の基端側を挿入可能とされる挿入孔２０と、バンド３の基端側を挿入孔２０の内部に向けて付勢する付勢手段２１と、挿入孔２０内に設けられてバンド３の基端側の端面３ｄに離間接触可能な接触面２２ａを有する固定部材２２とを備え、端面３ｄ及び接触面２２ａには、それぞれ接触した際に嵌合して回転方向の動きを規制する凹凸部が形成されているバンドの角度変更機構４及びこれを備えた携帯機器を提供すること。【選択図】  図４
2005185388.tif 000002
【特許請求の範囲】
【請求項１】
本体に基端側が取り付けられて腕に装着可能なバンドの角度変更機構であって、
前記本体に設けられて前記バンドの基端側を挿入可能とされる挿入孔と、
前記基端側を前記挿入孔の内部に向けて付勢する付勢手段と、
前記挿入孔内に設けられて前記基端側の端面に離間接触可能な接触面を有する固定部材とを備え、
前記端面及び前記接触面には、それぞれ接触した際に嵌合して回転方向の動きを規制する凹凸部が形成されていることを特徴とするバンドの角度変更機構。
【請求項２】
請求項１に記載のバンドの角度変更機構において、
前記バンドの基端側の外周面に、前記挿入孔に密着した状態で該挿入孔の軸方向に進退自在なパッキンが設けられていることを特徴とするバンドの角度変更機構。
【請求項３】
請求項１又は２に記載のバンドの角度変更機構において、
前記凹凸部が、前記挿入孔の周方向に向けて所定角度毎に山と谷を順次繰り返す歯車状に形成されていることを特徴とするバンドの角度変更機構。
【請求項４】
請求項１から３のいずれか１項に記載のバンドの角度変更機構を備え、
前記本体の表面側に情報を表示する表示部を有することを特徴とする携帯機器。
【発明の詳細な説明】
【技術分野】
【０００１】
本発明は、腕に装着可能なバンドを有する本体（例えば、腕時計等の本体ケース）のバンドの角度変更機構及びこれを備えた携帯機器に関するものである。
【背景技術】
【０００２】
従来、手首（腕）に装着する腕時計等の携帯機器に使用されるバンドは、各種提供されているが、そのうちの１としてバングル（腕輪）型のバンドが知られている（例えば、特許文献１参照）。
このようなバングル型のバンドを備えた腕時計は、様々なものが知られているが、最も基本的なものとして、例えば、図９に示すように、本体ケースにリング状のバングルが固定（例えば、ろう付けやピン固定等）されたものが提供されている。この際、バングルの大きさは、手を縮めたときに入る大きさに設定されており、手の大きさに応じて大、中、小のように各種のサイズが設定されている。
【０００３】
また、別のバングル型の腕時計として、図１０に示すように、バングルの一部を切り欠いて一対のアーム状のバンドにし、該バンドを本体ケースの１２時及び６時方向の位置に固定（若しくは本体ケースと一体成型）したものが提供されている。
この腕時計の場合には、一対のバンドの隙間から手首を通して装着を行う。また、この際、図示しているように、手首に装着後、隙間に小鎖等を付加して脱落防止を向上させたものも提供されている。更に、バンドをプラスチック等の弾性材料により形成したものも提供されている。この場合には、バンドを引張って隙間を広げ、この隙間から手首を通して装着を行う。
【０００４】
また、別のバングル型の腕時計として、図１１に示すように、バングルの一部を切り欠いて一対のアーム状のバンドにし、該バンドを本体ケースの１２時及び６時位置に回転可能（回転軸は３時から９時方向）に取り付けたものが提供されている。また、バンドと本体ケースとの間には、図示しない強力なスプリング力を有するスプリングが取り付けられており、該スプリングによりバンドは常に閉じる方向に付勢されるようになっている。
この腕時計の場合には、スプリング力に抗する力でバンドを広げるように回転させて手首（腕）に装着を行う。装着後、バンドは、付勢手段により元の位置に戻り脱落を防止する。
【特許文献１】特開平１０−２８８６７５号公報（図３等）
【発明の開示】
【発明が解決しようとする課題】
【０００５】
しかしながら、上記各腕時計に使用されているバンドは、内径の大きさが予め決められているので、内径の大きさを調整することが困難であり、装着性の優れないものであった。そのため、装着性を少しだけでも向上させるために、自分の手首（腕）の大きさに合うサイズを探す手間が必要であり、仮に近いサイズが見つかったとしても内径の微調整等が困難であるため、ある程度の装着感で妥協せざるをえなかった。
また、このような問題に加え、更に以下の不都合があった。
即ち、図９に示す腕時計では、バンドの内径が手の甲の大きさに設定されているため、脱落の可能性の特に高いものであった。
また、図１０に示す腕時計では、手首を通すための隙間から逆に腕が抜けて脱落する可能性があった。更に、隙間に小鎖等を付加したものは、着脱の毎に付け外す必要があるので、面倒で手間のかかるものであった。更に、バンドを弾性材料で形成した場合には、その材料に限定される不都合があった。
また、図１１に示す腕時計では、スプリングを設けるため、バンドと本体ケースとの強度を一定の強度に維持した状態で取り付ける必要があった。そのため、例えば、女性向きの華奢で小さな時計等を実現するのが困難であった。
【０００６】
本発明は、このような事情に考慮してなされたもので、その目的は、着脱が容易で装着感が向上し、小型で脱落の可能性が低減したバンドの角度変更機構及びこれを備えた携帯機器を提供することである。
【課題を解決するための手段】
【０００７】
本発明は、前記課題を解決するために以下の手段を提供する。
本発明のバンドの角度変更機構は、本体に基端側が取り付けられて腕に装着可能なバンドの角度変更機構であって、前記本体に設けられて前記バンドの基端側を挿入可能とされる挿入孔と、前記基端側を前記挿入孔の内部に向けて付勢する付勢手段と、前記挿入孔内に設けられて前記基端側の端面に離間接触可能な接触面を有する固定部材とを備え、前記端面及び前記接触面には、それぞれ接触した際に嵌合して回転方向の動きを規制する凹凸部が形成されていることを特徴とするものである。
【０００８】
この発明に係るバンドの角度変更機構においては、バンドの基端側を挿入孔の外部、即ち本体の外部に向けて付勢手段に抗する力で引っ張ると、バンドの基端側の端面が固定部材の接触面から離間する。この状態で、バンドを軸回りに回転させることで、本体に対するバンドの取付角度の変更が行える。また、角度変更の後、バンドの基端側を離すと、該バンドは付勢手段により挿入孔内部に向けて付勢され、基端側端面が固定部材の接触面に接触すると共に、凹凸部によって互いが嵌合する。これにより、バンドの回転が規制される。このように、バンドの取付角度を容易に変更することができると共に、変更した角度で保持することができる。
従って、バンドの取付角度を変更することで、容易に腕への脱着が可能となり、装着後、腕の形状に応じた取付角度でバンドを保持することができるので、ガタ等がなく確実に装着できて装着性が向上する。また、装着した角度でバンドを保持可能であるので、腕から容易に脱落することはない。更に、挿入孔内にバンドの基端側を挿入する構成であるので、小スペースで構成でき、コンパクト化を図ることができる。
【０００９】
また、本発明に係るバンドの角度変更機構は、上記バンドの角度変更機構において、前記バンドの基端側の外周面に、前記挿入孔に密着した状態で該挿入孔の軸方向に進退自在なパッキンが設けられていることを特徴とするものである
この発明に係るバンドの角度変更機構においては、静的状態だけでなく、バンドの基端側を引張り操作する動的状態においても、パッキンが常に挿入孔に密着しているので、該挿入孔を通じて外部から本体内部に水滴や塵埃等が混入することを防止できる。
【００１０】
また、本発明に係るバンドの角度変更機構は、上記バンドの角度変更機構において、前記凹凸部が、前記挿入孔の周方向に向けて所定角度毎に山と谷を順次繰り返す歯車状に形成されていることを特徴とするものである。
この発明に係るバンドの角度変更機構においては、凹凸部を、複雑な形状にすることなく、歯車状として容易に形成することができる。また、歯車の数を変えるだけで、容易に所望する角度でバンドを回転させることができる。
【００１１】
本発明に係る携帯機器は、上記本発明のいずれかのバンドの角度変更機構を備え、前記本体の表面側に情報を表示する表示部を有することを特徴とするものである。
この発明に係る携帯機器においては、本体を確実に腕に装着した状態で、表示部に表示される情報を見ることができる。特に、腕を動かしたときに、本体が腕からずれることがないので、視認性が向上する。また、装着性が向上しているので、長時間腕に装着したとしても違和感（不快感）がない。
【発明の効果】
【００１２】
本発明に係るバンドの角度変更機構によれば、バンドの取付角度を変更することで、容易に腕への脱着が可能となり、装着後、腕の形状に応じた取付角度でバンドを保持することができるので、ガタ等がなく確実に装着できて装着性が向上する。また、装着した角度でバンドを保持可能であるので、腕から容易に脱落することはない。更に、挿入孔内にバンドの基端側を挿入する構成であるので、小スペースで構成でき、コンパクト化を図ることができる。
また、本発明に係る携帯機器によれば、装着性が向上しているので、長時間装着したとしても違和感を感じることはない。また、仮に腕に動かしたとしても、本体が腕からずれることがなく、視認性の向上化が図れる。
【発明を実施するための最良の形態】
【００１３】
以下、本発明に係るバンドの角度変更機構及び携帯機器の一実施形態を、図１から図７を参照して説明する。なお、本実施形態の携帯機器は、腕時計として説明する。
本実施形態の携帯機器１は、図１から図３に示すように、本体ケース（本体）２と、該本体ケース２に基端側が取り付けられて腕に装着可能なバンド３と、該バンド３の取付角度を変更する本発明に係る角度変更機構４とを備えている。
【００１４】
上記本体ケース２は、プラスチックやアルミ等の金属材料からなり、所定の厚みをもって上面視略円状になるように形成されている。また、本体ケース２は、表面の中央部分に円状のカバーガラス１０が嵌め込まれており、該カバーガラス１０の内側に情報を表示するＬＣＤ（Liquid Crystal Display）等の液晶表示器（表示部）１１が配されている。なお、本実施形態では、表示部１１は、時刻、日付、曜日等を表示できるようになっている。また、表示部１１は、本体ケース２の内部に内蔵された図示しないＣＰＵやＭＰＵ等の制御部によって表示が制御されている。
【００１５】
更に、本体ケース２には、複数のボタン、例えば、本体ケース２の表面に配された操作ボタン１２と、本体ケース２の側面に配されたモード切替ボタン１３が設けられている。これら各ボタンは、押下したときに上記制御部に信号を送り、液晶表示器１１に表示される情報を切り替えることができるようになっている。例えば、モード切替ボタン１３を押下する毎に、例えば、ストップウォッチモードや、アラーム設定モード等に切り替えることができるようになっている。この場合には、操作ボタン１２は、各モードに対応するように設定することが可能である。例えば、ストップウォッチモードの時に、各操作ボタン１２を、時間の測定開始ボタン、停止ボタンやラップ測定ボタン等として機能させることが可能である。
【００１６】
上記バンド３は、図１から図３に示すように、第１のバンド部３ａ及び第２のバンド部３ｂから構成され、折曲変可能な弾性材料により断面略円状に形成された弾力性アームとなっている。第１バント部３ａ及び第２バンド部３ｂは、液晶表示器１１に表示される情報の上下方向に向けてそれぞれ対向するように本体ケース２に基端側が取り付けられている。具体的な取り付けの構成については、後に詳細に説明する。また、第１バント部３ａ及び第２バンド部３ｂの先端側の表面には、シリコン等の滑止材３ｃがコーティングされている。
【００１７】
上記角度変更機構４は、図４及び図５に示すように、本体ケース２に設けられてバンド３の基端側を挿入可能とされる挿入孔２０と、基端側を挿入孔２０の内部に向けて付勢する付勢手段２１と、挿入孔２０内に設けられて基端側の端面３ｄに離間接触可能な接触面２２ａを有する固定部材２２とを備えている。また、端面３ｄ及び接触面２２ａには、それぞれ接触した際に嵌合して回転方向の動きを規制する歯部（凹凸部）３ｅ、２２ｂが形成されている。更に、バンド３の基端側の外周面に、挿入孔２０に密着した状態で該挿入孔２０の軸方向に進退自在なパッキン２３が設けられている。
【００１８】
上記バンド３、即ち、第１バンド部３ａ及び第２バンド部３ｂは、それぞれ上記端面３ｄの中央から軸方向に突出した縮径部２５を有している。即ち、上記歯部３ｅは、端面３ｄ上において、縮径部２５を囲むように形成されていると共に、挿入孔２０の周方向に向けて山と谷を順次繰り返す歯車状に形成されている。
上記縮径部２５は、先端面の中央位置に軸方向に向けてネジ孔２５ａが形成されている。該ネジ孔２５ａに、キャップネジ部材２６のネジ２６ａを螺合することによって、縮径部２５の先端に該キャップネジ部材２６を固定できるようになっている。なお、キャップネジ部材２６の外径は、縮径部２５より大きく、且つ、上記挿入孔２０の内径より若干小さくなるように形成されている。また、キャップネジ部材２６の外周面には、環状溝２６ｂが形成されており、該環状溝２６ｂに、挿入孔２０の内径に密着する上記パッキン２３が嵌合されてる。つまり、第１バンド部３ａ及び第２バンド部３ｂの基端側を挿入孔２０に対して進退させると、パッキン２３が挿入孔２０内に密接した状態を維持しながら進退するようになっている。なお、本実施形態においては、キャップネジ部材２６を含めてバンド３の基端側としている。なお、縮径部２５の先端側をキャップネジ部材２６の形状に形成しても構わない。
【００１９】
上記固定部材２２は、所定の厚さを有して環状に形成されると共に中心孔の内径が縮径部２５の外周面に当接するように形成され、挿入孔２０内に圧入固定されている。この際、固定部材２２は、挿入孔２０の略中間部に形成された当接部２０ａに当接することで、確実に位置決めがされるようになっている。また、固定部材２２の挿入孔２０内部に向かう端面と、上記キャップネジ部材２６の端面との間には、スプリング２８が介在されており、常にキャップネジ部材２６を挿入孔２０の内部に向けて付勢するようになっている。これにより、第１バンド部３ａ及び第２バンド部３ｂの基端側を挿入孔２０の内部に向けて付勢するようになっている。即ち、これら固定部材２２、キャップネジ部材２６及びスプリング２８は、上記付勢手段２１として機能するようになっている。
また、固定部材２２の挿入孔２０外部に向かう端面は上記接触面２２ａとされ、該接触面２２ａに上記歯部２２ｂが形成されている。この歯部２２ｂは、上記歯部３ｅと同様に挿入孔２０の周方向に向けて山と谷を順次繰り返すように形成されている。
なお、歯部３ｅ、２２ｂは、山と谷を例えば、縮径部２５の軸線回りに１０度の角度毎に繰り返すように形成されている。なお、１０度に限られるものではない。
【００２０】
このように構成された携帯機器１を使用する場合について、以下に説明する。なお、バンド３の初期状態は、液晶表示器１１を正面から見たときに、図１に示すように、先端側が本体ケース２の真下に位置する状態になっているとして説明する。
まず、第１バンド部３ａ及び第２バンド部３ｂの基端側を挿入孔２０の外部に向けて引っ張る。この際、スプリング２８のスプリング力に抗する力で基端側を引っ張る。これにより、第１バンド部３ａ及び第２バンド部３ｂが、挿入孔２０の外部に向けて移動する。即ち、基端側の端面３ｄが固定部材２２の接触面２２ａから離間する。この際、パッキン２３により、挿入孔２０内の密閉状態が保たれているので、ケース本体２に外部から水滴や塵埃等が混入することはない。
【００２１】
この状態において、第１バンド部３ａ及び第２バンド部３ｂを挿入孔２０の軸回りに所定角度回転させる。この際、図６に示すように、第１バンド部３ａと第２バンド部３ｂとを、互いに離間するように逆方向に向けて回転させる。所定角度回転後、第１バンド部３ａ及び第２バンド部３ｂの引張り状態を解くと、付勢手段２１が基端側を挿入孔２０の内部に向けて付勢する。これにより、端面３ｄと接触面２２ａとが再度接触すると共に、歯部３ｅ、２２ｂが互いに嵌合する。従って、バンド３は、取付角度が変更されると共に、変更後の角度で保持された状態となる。
【００２２】
そして、図６に示すように、第１バンド部３ａと第２バンド部３ｂとの隙間を広げた後、該隙間に腕を通す。この際、第１バンド部３ａと第２バンド部３ｂとの回転角度によって隙間の距離Ｌ１を腕の太さに応じて自由に広げることができるので、腕を装着し易い。そして、腕を通した後、第１バンド部３ａ及び第２バンド部３ｂを、上述した向きの逆方向に回転させて（腕を締め付けるように回転）、図７に示すように腕に装着する。この際、腕の大きさや形状に応じて、第１バンド部３ａ及び第２バンド部３ｂの取付角度を微調整することで、図６に示すように、本体ケース２の裏面と第１バンド部３ａ先端との距離Ｌ２や、本体ケース２の裏面と第２バンド部３ｂ先端との距離Ｌ３を自由に変更することが可能である。従って、ズレ等がなく確実に装着できてフィットした状態となり、装着性が向上する。特に、第１バンド部３ａ及び第２バンド部３ｂを１０度毎に回転可能であるので、確実な微調整が行える。更に、第１バンド部３ａ及び第２バンド部３ｂの先端には、滑止材３ｃがコーティングされているので、更に装着性が向上する。
【００２３】
上述したように、本実施形態の角度変更機構４によれば、バンド３の取付角度を変更することで、容易に腕への脱着が可能となる。また、装着後、腕の太さ等の形状に応じた取付角度でバンド３を保持することができるので、ガタ等がなく、確実に装着することができ、装着性が向上する。更に、装着した角度でバンド３を保持可能なので、腕から容易に脱落することはない。また、挿入孔２０内にバンド３の基端側を挿入する構成であるので、小スペースで構成でき、コンパクト化を図ることができる。
更には、パッキン２３が常に挿入孔２０内に密着している状態であるので、挿入孔２０を介して本体ケース２内に水滴や塵埃等が混入することはない。また、歯部３ｅ、２２ｂの数を変えるだけで、容易に所望する回転角度を得ることができ、調整度合いを変更することができる。
また、本実施形態の携帯機器１によれば、確実に腕に装着した状態で、液晶表示器１１に表示された時刻を確認することができる。特に、腕を動かしたとしても、本体ケース２がズレ難いので、視認性が向上する。更に、装着性が向上（本体ケース２が腕にフィット）しているので、長時間腕に装着しても、違和感を感じることない。
【００２４】
なお、本発明の技術範囲は上記実施の形態に限定されるものではなく、本発明の趣旨を逸脱しない範囲において種々の変更を加えることが可能である。
例えば、上記実施形態においては、携帯機器を腕時計として説明したが、これに限られるものではなく、腕に装着可能な携帯機器であれば構わない。例えば、電話機能を備えた腕時計や、腕時計型のＰＤＡ（Personal Digital Assistant）等でも構わない。
また、本体ケースの形状を上面視略円状としたが、これに限らず、長方形や三角形等の多角形状でも構わないし、楕円等の流線形状でも構わない。
更に、ボタンの個数や位置等は、任意に設定しても良く、表示部の位置等も同様に任意に設定して構わない。また、ボタンの設定も自由に設定することが可能である。
【００２５】
また、本体ケースの表面側に、表示部を設けた構成にしたが、これに限らず、裏面側にも表示部を設けた構成にしても構わない。即ち、図８に示すように、本体ケース２の両面に表示部（例えば、一方の表示部は時刻をアナログ表示、他方の表示部は時刻をデジタル表示）を有するリバーシブル型の腕時計等でも構わない。こうすることで、角度変更機構によるバンドの角度変更を行う際に、本体ケースを反転させてデザイン変更を行える。特に、角度変更機構が、バンドの嵌合構造及び本体ケースの回転構造の両構造を兼ねているので、構造をシンプルにすることができる。
【図面の簡単な説明】
【００２６】
【図１】本発明に係る携帯機器の外観図の一実施形態を示す斜視図である。
【図２】図１に示す携帯機器の外観図を示す上面図である。
【図３】図１に示す携帯機器の外観図を示す側面図である。
【図４】図１に示す携帯機器の、本発明に係る角度変更機構の構成を示す断面図である。
【図５】図４に示す角度変更機構の構成を示す斜視図である。
【図６】角度変更機によりバンドを互いに逆方向に回転させた状態を示す図であって、（ａ）は上面図、（ｂ）は側面図である。
【図７】携帯機器を腕（手首）に装着した状態を示す斜視図である。
【図８】本発明に係る携帯機器の他の例を示す斜視図であって、（ａ）は表示部が時刻をアナログ表示した状態、（ｂ）は本体ケースを反転させて表示部が時刻をデジタル表示した状態を示す図である。
【図９】従来のバングル型の腕時計の一例を示した斜視図である。
【図１０】従来のバングル型の腕時計の別の一例を示した斜視図である。
【図１１】従来のバングル型の腕時計の更に別の一例を示した斜視図であって、（ａ）はバングルが閉じた状態、（ｂ）はバングルが開いた状態を示す図である。
【符号の説明】
【００２７】
１    携帯機器
２    本体ケース（本体）
３    バンド
３ｄ    端面
３ｅ、２２ｂ    歯部（凹凸部）
４    角度変更機構
１１    液晶表示機（表示部）
２０    挿入孔
２１    付勢手段
２２    固定部材
２２ａ    接触面
２３    パッキン
【図１】
2005185388.tif 000003
【図２】
2005185388.tif 000004
【図３】
2005185388.tif 000005
【図４】
2005185388.tif 000006
【図５】
2005185388.tif 000007
【図６】
2005185388.tif 000008
【図７】
2005185388.tif 000009
【図８】
2005185388.tif 000010
【図９】
2005185388.tif 000011
【図１０】
2005185388.tif 000012
【図１１】
2005185388.tif 000013